(57)【要約】【課題】電源装置等を照明用ポール内に配置しやすいポール式照明装置を提供する。【解決手段】ポール式照明装置は、照明用ポール２と、照明用ポール２に取り付けられる照明器具と、を備える。照明用ポール２は、内部が空洞である筒状のポール本体２０と、ポール本体２０に設けられた開口部２３を塞ぐ蓋５と、を有する。蓋５は、内外にかけて通じる通し部と、内面に形成される収納箱６と、を有する。【選択図】図６
2020087838.tif 000002
【特許請求の範囲】
【請求項１】
照明用ポールと、
前記照明用ポールに取り付けられる照明器具と、を備え、
前記照明用ポールは、
内部が空洞である筒状のポール本体と、
前記ポール本体に設けられた開口部を塞ぐ蓋と、を有し、
前記蓋は、内外にかけて通じる通し部と、内面に形成される収納箱と、を有する、ポール式照明装置。
【請求項２】
前記照明器具を点灯させる照明電源装置を更に備え、
前記照明電源装置は、前記空洞内に配置されている、請求項１記載のポール式照明装置。
【請求項３】
前記照明器具は、前記照明用ポールの前記開口部よりも上側に取り付けられ、
前記照明電源装置は、前記空洞内の前記開口部よりも下側に配置され、
前記蓋が前記ポール本体に取り付けられた状態で、前記収納箱と前記ポール本体の内面との間に電線通し隙間が形成され、
前記照明器具と前記照明電源装置とを繋ぐ電線が前記電線通し隙間を通っている、請求項２記載のポール式照明装置。
【請求項４】
前記収納箱が防水構造を有する、請求項１〜３のいずれか一項に記載のポール式照明装置。
【請求項５】
撮像装置と、
前記撮像装置を動作させる撮像電源装置と、を更に備え、
前記収納箱に前記撮像電源装置が収納され、
前記蓋の外面に前記撮像装置が取り付けられ、
前記撮像装置と前記撮像電源装置とを繋ぐ電線が前記通し部を通る、請求項１〜４のいずれか一項に記載のポール式照明装置。
【発明の詳細な説明】
【技術分野】
【０００１】
本開示は、ポール式照明装置に関し、より詳細には、照明用ポールとこの照明用ポールに取り付けられる照明器具とを備えるポール式照明装置に関する。
【背景技術】
【０００２】
従来例として特許文献１記載の監視用カメラシステムを例示する。特許文献１記載の監視用カメラシステム（以下、従来例という。）において、カメラ装置は、既存の照明ポールの所定の高さ位置に取り付けられる。このカメラ装置で撮像された画像の伝送およびカメラ装置を制御する伝送装置は、この既存の照明ポールの下部に取り付けられた安定器ボックス内に実装される。
【０００３】
カメラ装置は、回転部、取付金具、取付ベルト等を具備して構成され、取付ベルトによって照明ポールに取り付けられる。伝送装置には、カメラ装置で撮像した画像に対応する画像信号が、信号ケーブルを介して入力される。
【先行技術文献】
【特許文献】
【０００４】
【特許文献１】特開平１１−３０８４９７号公報
【発明の概要】
【発明が解決しようとする課題】
【０００５】
ところで、上記従来例においては、カメラ装置を駆動させるための電源装置は特に設けられていない。ゆえに、電源装置等をカメラ装置の近傍に配置しにくい、という問題があった。
【０００６】
本開示は、電源装置等を照明用ポール内に配置しやすいポール式照明装置を提供することを目的とする。
【課題を解決するための手段】
【０００７】
本開示に係る一の形態のポール式照明装置は、照明用ポールと、前記照明用ポールに取り付けられる照明器具と、を備える。前記照明用ポールは、内部が空洞である筒状のポール本体と、前記ポール本体に設けられた開口部を塞ぐ蓋と、を有する。前記蓋は、内外にかけて通じる通し部と、内面に形成される収納箱と、を有する。
【発明の効果】
【０００８】
本開示のポール式照明装置にあっては、電源装置等を照明用ポール内に配置しやすい。
【図面の簡単な説明】
【０００９】
【図１】図１は、本開示の一実施形態に係るポール式照明装置の一部省略した側面図である。
【図２】図２は、同上のポール式照明装置における照明器具の斜視図である。
【図３】図３Ａは、同上のポール式照明装置における照明電源装置の正面図である。図３Ｂは、同上の照明電源装置の平面図である。図３Ｃは、同上の照明電源装置の下面図である。図３Ｄは、同上の照明電源装置の右側面図である。
【図４】図４は、同上のポール式照明装置における一部省略した照明用ポール及び照明電源装置の分解斜視図である。
【図５】図５は、同上のポール式照明装置における一部省略した照明用ポール及び照明電源装置の断面図である。
【図６】図６は、同上のポール式照明装置における一部省略した照明用ポール及び撮像電源装置の分解斜視図である。
【図７】図７は、同上のポール式照明装置における一部省略した照明用ポールの側面図である。
【図８】図８は、同上のポール式照明装置における撮像装置及び撮像電源装置の断面図である。
【発明を実施するための形態】
【００１０】
以下、図面を参照して、本開示に係るポール式照明装置を説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
ポール式照明装置１は、図１、図２及び図４に示すように、照明用ポール２と、照明用ポール２に取り付けられる照明器具３と、を備える。更に、本実施形態のポール式照明装置１は、照明器具３を点灯させる照明電源装置４と、撮像装置７（図８参照）と、撮像装置７を動作させる撮像電源装置８（図８参照）と、を更に備える。
【００１２】
照明用ポール２は、ポール本体２０を有する。ポール本体２０は、鋼板などの金属材料によって、内部が空洞である円筒状に形成されている。ただし、ポール本体２０は円筒状に限定されず、角筒状に形成されてもかまわない。ポール本体２０の上部の側面（周面）に、長円形の開口部２３が設けられている（図６参照）。ポール本体２０の下部の側面に長円形の開口部２００が設けられている（図４参照）。開口部２００は、ポール本体２０の側面を貫通してポール本体２０の内部とポール本体２０の外部とを繋いでいる。
【００１３】
開口部２００は、蓋２１により塞がれる。蓋２１は、鋼板などの金属材料によって長円形に形成されている。ただし、蓋２１は、ポール本体２０の側面に沿うように弧状に湾曲している。蓋２１の長軸方向の両端に円形の孔２１０が一つずつ貫通している（図４参照）。これら二つの孔２１０に雄ねじ２２が一本ずつ通される。
【００１４】
ポール本体２０の側面において、開口部２００の上下両側にねじ孔２０１が一つずつ設けられている。開口部２００の上側のねじ孔２０１に、上側の雄ねじ２２のねじ部がねじ込まれる。また、開口部２００の下側のねじ孔２０１に、下側の雄ねじ２２のねじ部がねじ込まれる。つまり、蓋２１は、二本の雄ねじ２２によってポール本体２０の側面にねじ止めされる。そして、ポール本体２０の開口部２００は、ポール本体２０にねじ止めされた蓋２１によって塞がれる（図５参照）。
【００１５】
照明器具３は、図１及び図２に示すように、二つのＬＥＤユニット３０、器具本体３１、グローブ３２、アーム３３を備える。ただし、以下の説明では、特に断りのない限り、図２に矢印で示す方向において照明器具３の上下、前後及び左右の各方向を規定する。
【００１６】
器具本体３１は、円板状の天板３１０と、天板３１０の周縁から全周に渡って下向きに突き出た側壁３１１とを有する。天板３１０と側壁３１１は、鋼板などの金属材料によって一体に形成されている。
【００１７】
アーム３３は、アルミダイカストによって中空の円筒形状に形成されている。アーム３３の上端に器具本体３１の天板３１０が固定されている。アーム３３は、照明用ポール２の柱頭（ポール本体２０の上端部分）を内部に収めるようにして照明用ポール２に取り付けられる（図１参照）。
【００１８】
グローブ３２は、円盤状の底板３２０と、底板３２０の周縁から全周に渡って上向きに突き出た側板３２１とを有する（図２参照）。底板３２０と側板３２１は、アクリル樹脂などの透光性を有する材料で一体に形成されている。アーム３３が通される円形の孔が底板３２０の中央に貫通している。グローブ３２は、側板３２１を側壁３１１の内側に収めるようにして器具本体３１に取り付けられる（図２参照）。
【００１９】
二つのＬＥＤユニット３０の各々は、ＬＥＤモジュール３００と、ＬＥＤモジュール３００を支持するホルダ３０１と、ＬＥＤモジュール３００と照明電源装置４との電気的な接続を行うための二つのコネクタ３０２と、放熱板３０３とを有する。ＬＥＤモジュール３００は、基板の一表面に複数個のＬＥＤチップが実装され、かつ、それら複数個のＬＥＤチップが封止樹脂で封止された、いわゆるＣＯＢ（Chip On Board）タイプのＬＥＤモジュールである。二つのコネクタ３０２のうちの一つのコネクタ３０２は、ＬＥＤモジュール３００のプラス電極（アノード電極）とプラス極の電線（不図示）を電気的に接続する。また、残り一つのコネクタ３０２は、ＬＥＤモジュール３００のマイナス電極（カソード電極）とマイナス極の電線（不図示）を電気的に接続する。ホルダ３０１はＬＥＤモジュール３００と二つのコネクタ３０２を支持して放熱板３０３に取り付けられる。放熱板３０３は、アルミ又はアルミ合金によって平板状に形成されている。二つのＬＥＤユニット３０の各々は、放熱板３０３が器具本体３１の天板３１０にねじ止めされることによって器具本体３１に取り付けられる（図２参照）。
【００２０】
照明電源装置４は、二つのＬＥＤユニット３０の各々に電力を供給する電源回路４１と、電源回路４１を収容する筐体４０と、筐体４０をポール本体２０に取り付けるための取付金具４２とを有する（図３Ａ〜図３Ｄ及び図４参照）。
【００２１】
電源回路４１は、例えば、商用の電力系統から供給される交流電力を整流・平滑する力率改善回路と、力率改善回路から出力される直流電圧を降圧する降圧チョッパ回路とを有する。ただし、電源回路４１は、力率改善回路と降圧チョッパ回路の代わりに昇降圧チョッパ回路を有していてもよい。電源回路４１は、プリント配線板に多数の電子部品が実装されて構成されるプリント回路として実現されている。
【００２２】
筐体４０は、アルミ又はアルミ合金によって中空の角柱状に形成されている。筐体４０の内部に電源回路４１が収容される（図３Ａ参照）。筐体４０の二つの底面（筐体４０の長手方向に対向した二つの底面）のうちの一つの底面に二つの孔４０１、４０２が設けられている（図３Ｃ参照）。これら二つの孔４０１のうちの一方の孔４０１から入力用の三本の口出し線（電線）４０３が引き出されている（図３Ａ参照）。三本の口出し線は、電源用の二本の口出し線４０３と、接地用の一本の口出し線４０３である。また、二つの孔４０１のうちの他方の孔４０１から出力用の二本の口出し線（電線）４０４が引き出されている。
【００２３】
取付金具４２は、長方形状の固定片４２０と、Ｌ字形に形成されて固定片４２０の長手方向の両端からそれぞれ突き出た一対の脚片４２１とを有する。なお、固定片４２０と一対の脚片４２１とは、鋼板などの金属材料によって一体に形成される。固定片４２０に照明電源装置４の筐体４０が固定される（図３Ａ〜図３Ｄ参照）。一対の脚片４２１のうちの一方の脚片４２１に引掛部４２２が形成されている。引掛部４２２は、一方の脚片４２１の一部がおおよそＣ字状に切り欠かれて形成されている（図３Ａ、図３Ｂ参照）。つまり、引掛部４２２は、脚片４２１において、おおよそＣ字状に切り欠かれた部分の縁からなる。
【００２４】
上述のように構成される照明電源装置４は、取付金具４２を用いて照明用ポール２のポール本体２０に取り付けられ、空洞内に配置される。
【００２５】
以下、照明電源装置４をポール本体２０に取り付ける際の作業を説明する。ポール式照明装置１を設置する作業者は、開口部２００から照明電源装置４をポール本体２０内に入れる。また、作業者は、ポール本体２０内に入れた照明電源装置４を、開口部２００と反対側のポール本体２０の内側の側面から突き出たフック２０２に引掛部４２２を引っ掛ける（図４参照）。作業者は、照明電源装置４から引き出された口出し線４０３を、ポール本体２０内に立ち上げ配線された電源線１１と電気的に接続する。また、作業者は、照明電源装置４から引き出された口出し線４０４を、照明器具３の二つのＬＥＤユニット３０から引き出された電線４３と電気的に接続する。最後に、作業者は、二本の雄ねじ２２を用いてポール本体２０の側面に蓋２１をねじ止めする。以上のようにして、照明用ポール２に対する照明電源装置４の取付作業が完了する（図５参照）。
【００２６】
次に、ポール本体２０の上部の側面に形成された開口部２３を塞ぐ蓋５について、図６及び図７に基づいて説明する。本実施形態では、開口部２３は、上述した開口部２００と同じ形状でかつ同じ大きさに形成されている。蓋５は、蓋２１と同様、鋼板などの金属材料によって長円形に形成され、かつ、ポール本体２０の側面に沿うように弧状に湾曲している。蓋５の長軸方向の両端に円形の孔５２が一つずつ貫通している。これら二つの孔５２に雄ねじ５３が一本ずつ通される。
【００２７】
ポール本体２０の側面において、開口部２３の上下両側にねじ孔２０３が一つずつ設けられている。開口部２３の上側のねじ孔２０３に、上側の雄ねじ５３がねじ込まれる。また、開口部２３の下側のねじ孔２０３に、上側の雄ねじ５３がねじ込まれる。つまり、蓋５は、二本の雄ねじ５３によってポール本体２０の側面にねじ止めされる。そして、ポール本体２０の開口部２３は、ポール本体２０にねじ止めされた蓋５によって塞がれる。
【００２８】
蓋５の外面に、撮像装置７が取り付けられる。本実施形態では、撮像装置７はいわゆる防犯カメラ（監視カメラ）であり、動画又は静止画を撮像することができる。撮像装置７には、フラッシュメモリ等の記録媒体が着脱可能に装着されている。撮像装置７は、撮像した動画又は静止画を記録媒体に記録する。なお、このような撮像装置７として、既存の様々なカメラ（赤外線カメラ等の特殊なカメラを含む）が適宜利用可能であり、撮像装置７についての詳細な説明は省略する。
【００２９】
撮像装置７には、蓋５に取り付けられるための取付部として、フランジ７１が設けられる。フランジ７１は、撮像装置７の撮像部と反対側の端部に形成される。フランジ７１には、ねじからなる固着具７３が通る孔７２が形成されている。
【００３０】
蓋５の外面に、撮像装置７を取り付けるための取付部５４が設けられる。取付部５４は、取付面を有する取付壁５４０と、取付壁の周縁部に繋がる筒壁と、を有する筐体からなる。取付部５４は、蓋５と同様の鋼板などの金属材料によって形成され、溶接等によって蓋５の外面に固定されている。取付壁５４０の取付面は、矩形状をしており、平坦面である。取付壁５４０には、撮像装置７と撮像電源装置８とを繋ぐ電線７０を内外にわたって通す電線通し孔５４１が形成されている。電線通し孔５４１は、取付壁５４０の中央部に形成され、円形状をしている。また、取付壁５４０には、ねじからなる固着具７３がねじ込まれるねじ孔５４２が形成される。ねじ孔５４２は、取付壁５４０の電線通し孔５４１の上側及び下側に形成される。
【００３１】
図８に示すように、蓋５は、内外にかけて通じる通し部５１を有する。通し部５１は、蓋５に形成される孔であり、蓋５の中央部に形成され、円形状をしている。通し部５１は、電線通し孔５４１に対応する位置に形成されている。
【００３２】
図６及び図８に示すように、蓋５は、内面に形成される収納箱６を有する。収納箱６は、直方体状をした箱であり、主に撮像電源装置８を収納する。撮像電源装置８は、本実施形態では商用電源より交流を入力し目的の電力を出力するいわゆるＡＣアダプタである。収納箱６は、蓋５と同様の鋼板などの金属材料によって形成され、溶接等によって蓋５の内面に固定されている。収納箱６は、蓋５から遠い側の側壁が、他の部分（箱本体６１）と別体の開閉蓋６２となる。開閉蓋６２は、ヒンジ６３により箱本体６１に連結されている。開閉蓋６２は、箱本体６１に形成される開口６０を開閉可能に閉塞する。開閉蓋６２は、Ｏリングからなるパッキン６４を介して、開口６０を水密的に閉塞する。パッキン６４が防水構造を構成する。開閉蓋６２は、錠等により、開口６０を閉塞する状態で保持される。収納箱６は、撮像装置７と撮像電源装置８とを繋ぐ電線７０を内外にわたって通す通し孔６５を有する。
【００３３】
撮像装置７及び撮像電源装置８をポール本体２０に取り付ける際の作業を説明する。図６に示すように、作業者は、撮像装置７のフランジ７１に形成された孔７２に固着具７３を通し、蓋５の取付部５４に形成されたねじ孔５４２に固着具７３をねじ込む。また作業者は、撮像装置７に繋がる電線７０を、電線通し孔５４１、通し部５１及び通し孔６５に通す（図８参照）。このようにして、撮像装置７が蓋５の外面に取り付けられる。
【００３４】
作業者は、開閉蓋６２を開けて、開口６０より撮像電源装置８を箱本体６１に挿入して底部に載置する。作業者は、通し孔６５に通された電線７０を撮像電源装置８に接続する。撮像電源装置８に繋がる電線８１は、通し孔６５を通して収納箱６外に出され、ポール本体２０の空洞内を下方に向けて降下する。作業者は、開閉蓋６２を閉じて、開口６０を閉塞する。
【００３５】
作業者は、上述したように、雄ねじ５３を用いてポール本体２０に蓋５を取り付けて、開口部２３を蓋５によって閉塞する。このようにして、撮像装置７及び撮像電源装置８がポール本体２０に取り付けられる。蓋５がポール本体２０に取り付けられた状態で、収納箱６とポール本体２０の内面との間に電線通し隙間２４が形成される。
【００３６】
図７に示すように、照明器具３は、照明用ポール２の開口部２３よりも上側に取り付けられる。照明電源装置４は、空洞内の開口部２３よりも下側に配置される。照明器具３と照明電源装置４とを繋ぐ電線４３が電線通し隙間２４を通って、開口部２３の上下にわたって空洞内に配置される。
【００３７】
次に、上記実施形態の変形例について説明する。
【００３８】
照明電源装置４、撮像装置７及び撮像電源装置８は任意の構成であり、ポール式照明装置１がこれらを備えなくてもよい。また、ポール式照明装置１が、照明器具３を備えず、照明用ポール２のみ（ただし蓋５を含む）で利用されてもよい。
【００３９】
開口部２３は、開口部２００と同じ形状に形成されなくてもよいし、開口部２００と同じ大きさに形成されなくてもよく、形状及び大きさは限定されない。
【００４０】
撮像装置７は、撮像した動画又は静止画のデータを、装着されている記録媒体に記録するのではなく、ＬＡＮケーブル等を通じて有線により、あるいは無線ルータ等を通じて無線により送信してもよい。撮像装置７を蓋５に取り付けるための取付部は、フランジ７１に限定されない。
【００４１】
蓋５は、開口部２３を開閉可能となるように、ヒンジ等により照明用ポール２に連結されてもよい。
【００４２】
通し部５１は、孔ではなく切欠でもよい。通し部５１は、撮像装置７と撮像電源装置８とを繋ぐ電線７０のみならず、撮像装置７と、無線ルータ又はコンピュータと、を繋ぐＬＡＮケーブル等、電線７０以外の様々な線が通ってもよい。更に、撮像装置７の一部が通し部５１を通ってポール本体２０の空洞内に挿入され、収納箱６に取り付けられてもよい。
【００４３】
取付部５４は蓋５に一体に形成されてもよいし、蓋５の表面をそのまま取付部５４として利用してもよく、取付部５４の形態は限定されない。取付壁５４０の取付面は、平坦面でなくてもよく、また、矩形状に限定されない。
【００４４】
電線通し孔５４１及び通し孔６５は、撮像装置７と撮像電源装置８とを繋ぐ電線７０のみならず、撮像装置７と、無線ルータ又はコンピュータと、を繋ぐＬＡＮケーブル等、電線７０以外の様々な線が通ってもよい。
【００４５】
収納箱６には、撮像電源装置８ではなく、照明電源装置４、無線ルータ等、撮像電源装置８以外の物品が収納されてもよい。
【００４６】
開閉蓋６２は、ヒンジ６３により箱本体６１に連結されなくてもよく、例えば箱本体６１に対して分離していて、ビス止め等により箱本体６１に固定されてもよい。
【００４７】
防水構造は、パッキン６４ではなく、ラビリンスシール等の他の構造であってもよく、防水構造の形態は限定されない。
【００４８】
以上、述べた実施形態から明らかなように、第１の態様では、ポール式照明装置１は、照明用ポール２と、照明用ポール２に取り付けられる照明器具３と、を備える。照明用ポール２は、内部が空洞である筒状のポール本体２０と、ポール本体２０に設けられた開口部２３を塞ぐ蓋５と、を有する。蓋５は、内外にかけて通じる通し部５１と、内面に形成される収納箱６と、を有する。
【００４９】
第１の態様によれば、撮像装置７を動作させる撮像電源装置８等を収納箱６に収納することで、撮像電源装置８等を照明用ポール２内に配置しやすい。
【００５０】
第２の態様では、第１の態様との組み合わせにより実現される。第２の態様では、ポール式照明装置１は、照明器具３を点灯させる照明電源装置４を更に備える。照明電源装置４は、空洞内に配置されている。
【００５１】
第２の態様によれば、照明用ポール２外に照明電源装置４を配置せずにすむ。
【００５２】
第３の態様では、第２の態様との組み合わせにより実現される。第３の態様では、照明器具３は、照明用ポール２の開口部２３よりも上側に取り付けられる。照明電源装置４は、空洞内の開口部２３よりも下側に配置される。蓋５がポール本体２０に取り付けられた状態で、収納箱６とポール本体２０の内面との間に電線通し隙間２４が形成される。照明器具３と照明電源装置４とを繋ぐ電線４３が電線通し隙間２４を通っている。
【００５３】
第３態様によれば、収納箱６がポール本体２０内の空洞に配置されても、電線４３をポール本体２０内の収納箱６の上下にわたって通すことができる。
【００５４】
第４の態様では、第１〜３のいずれかの態様との組み合わせにより実現される。第４の態様では、収納箱６が防水構造を有する。
【００５５】
第４態様によれば、収納箱６内に収納される撮像電源装置８等の電気機器が濡れるのが抑制される。
【００５６】
第５の態様では、第１〜４のいずれかの態様との組み合わせにより実現される。第５の態様では、ポール式照明装置１は、撮像装置７と、撮像装置７を動作させる撮像電源装置８と、を更に備える。収納箱６に撮像電源装置８が収納される。蓋５の外面に撮像装置７が取り付けられる。撮像装置７と撮像電源装置８とを繋ぐ電線７０が通し部５１を通る。
【００５７】
第５の態様によれば、撮像装置７及び撮像電源装置８を有するポール式照明装置１を得ることができる。
【符号の説明】
【００５８】
１    ポール式照明装置
２    照明用ポール
２０  ポール本体
２３  開口部
２４  電線通し隙間
３    照明器具
４    照明電源装置
４３  電線
５    蓋
５１  通し部
６    収納箱
７    撮像装置
７０  電線
８    撮像電源装置
【図１】
2020087838.tif 000003
【図２】
2020087838.tif 000004
【図３】
2020087838.tif 000005
【図４】
2020087838.tif 000006
【図５】
2020087838.tif 000007
【図６】
2020087838.tif 000008
【図７】
2020087838.tif 000009
【図８】
2020087838.tif 000010